Podtech/llm-jp-corpus-v4-ja_patent huggingface dataset:
【手続補正書】
【提出日】平成28年2月1日(2016.2.1)
【手続補正１】
【補正対象書類名】特許請求の範囲
【補正対象項目名】全文
【補正方法】変更
【補正の内容】
【特許請求の範囲】
【請求項１】
４〜１１質量％のリン含有率を有するニッケルリン合金の堆積のためのアンモニアおよび鉛不含の無電解ニッケルめっき浴であって、
ｉ．  ニッケルイオン源、
ｉｉ．  次亜リン酸イオン源、
ｉｉｉ．  以下
ａ）  ヒドロキシカルボン酸、ジヒドロキシカルボン酸およびそれらの塩からなる群から選択される少なくとも１つの第一の錯化剤、および
ｂ）  イミノコハク酸、イミノジコハク酸、それらの塩およびそれらの誘導体からなる群から選択される少なくとも１つの第二の錯化剤
を含む錯化剤混合物
ｉｖ．  以下
ａ）  ビスマスイオン、および
ｂ）  メルカプト安息香酸、メルカプトカルボン酸、およびメルカプトスルホン酸およびそれらの塩からなる群から選択される少なくとも１つの化合物
を含む安定剤混合物
を含む前記めっき浴。
【請求項２】
前記少なくとも１つの第一の錯化剤が、ヒドロキシマロン酸、グリコール酸、乳酸、クエン酸、マンデル酸、酒石酸、リンゴ酸、パラ酒石酸、コハク酸、アスパラギン酸およびそれらの塩からなる群から選択される、請求項１に記載の無電解ニッケルめっき浴。
【請求項３】
前記少なくとも１つの第一の錯化剤の濃度が、１ｇ／ｌ〜５０ｇ／ｌの範囲である、請求項１または２に記載の無電解ニッケルめっき浴。
【請求項４】
前記少なくとも１つの第二の錯化剤の濃度が、０．２ｇ／ｌ〜１０ｇ／ｌの範囲である、請求項１から３までのいずれか１項に記載の無電解ニッケルめっき浴。
【請求項５】
ビスマスイオンの濃度が、０．５ｍｇ／ｌ〜３０ｍｇ／ｌの範囲である、請求項１から４までのいずれか１項に記載の無電解ニッケルめっき浴。
【請求項６】
メルカプト安息香酸誘導体が、２−メルカプト安息香酸、３−メルカプト安息香酸、４−メルカプト安息香酸、それらの塩およびそれらの混合物からなる群から選択される、請求項１から５までのいずれか１項に記載の無電解ニッケルめっき浴。
【請求項７】
メルカプトカルボン酸が、３−メルカプトプロピオン酸、３−メルカプト−２−メチルプロピオン酸、２−メルカプトプロパン酸、メルカプト酢酸、４−メルカプト酪酸および３−メルカプトイソ酪酸からなる群から選択される、請求項１から６までのいずれか１項に記載の無電解ニッケルめっき浴。
【請求項８】
メルカプトスルホン酸が、２−メルカプト−１−エタンスルホン酸、３−メルカプト−１−プロパンスルホン酸、４−メルカプト−１−ブタンスルホン酸からなる群から選択される、請求項１から７までのいずれか１項に記載の無電解ニッケルめっき浴。
【請求項９】
メルカプト安息香酸、メルカプトカルボン酸およびメルカプトスルホン酸またはそれらの塩の濃度が、０．１ｍｇ／ｌ〜１００ｍｇ／ｌの範囲である、請求項１から８までのいずれか１項に記載の無電解ニッケルめっき浴。
【請求項１０】
リンの含有率が、６〜９質量％の範囲である、請求項１から９までのいずれか１項に記載の無電解ニッケルめっき浴。
【請求項１１】
非導電性の基材を金属めっきする方法であって、以下の段階：
ｉ．  導電性のシード層を非導電性基材の上にもたらす段階、
ｉｉ．  前記非導電性基材を、請求項１から１０までのいずれか１項に記載のめっき浴組成物と接触させることにより、ニッケルリンコーティングを前記非導電性基材に施与する段階、
ｉｉｉ．  そのようにめっきされた基材を水で随意に濯ぐ段階、および
ｉｖ．  前記非導電性基材を、銅イオンを含む浸漬銅めっき浴と接触させることによって、ニッケルリンコーティング上に銅コーティングを施与する段階
を含む前記方法。
【請求項１２】
めっき温度が、２５〜３５℃の範囲である、請求項１１に記載の方法。
【請求項１３】
非導電性基材が、ＡＢＳまたはＡＢＳ／ＰＣブレンド製のプラスチック基材である、請求項１１または１２に記載の方法。
【請求項１４】
さらに、
ｖ．  段階ｉｖにおいて堆積された浸漬銅層の上に、少なくとも１つの電解的に堆積された金属層を施与することを含み、その際、少なくとも１つの電解的に堆積された層は、銅、ニッケル、クロムまたはその合金から選択される、請求項１１から１３までのいずれか１項に記載の方法。
【請求項１５】
次亜リン酸イオンの濃度が、１０ｇ／ｌ〜３５ｇ／ｌの範囲である、請求項１に記載の無電解ニッケルめっき浴。
【請求項１６】
ビスマスイオンの濃度が、０．５ｍｇ／ｌ〜１００ｍｇ／ｌの範囲である、請求項１に記載の無電解ニッケルめっき浴。
【請求項１７】
めっき浴が、６．５〜１１．５の範囲のｐＨ値を有する、請求項１に記載の無電解ニッケルめっき浴。
【請求項１８】
めっき浴が、２０〜５５℃の範囲の温度で保持される、請求項１１に記載の方法。
【手続補正書】
【提出日】平成27年12月3日(2015.12.3)
【手続補正１】
【補正対象書類名】特許請求の範囲
【補正対象項目名】全文
【補正方法】変更
【補正の内容】
【特許請求の範囲】
【請求項１】
複数のセル室を備えるテンプレートと、
前記複数のセル室内に配置された複数の着脱可能なインサートと、
前記テンプレートの第１面に着脱可能に連結されたカバーと、
前記テンプレートの第２面に着脱可能に連結されたヨークと、を備える装置。
【請求項２】
前記複数の着脱可能なインサートは、全長の磁気インサート、部分長の磁気インサート、全長の非磁気インサート、または部分長の非磁気インサートを含む、請求項１に記載の装置。
【請求項３】
前記複数のインサートは、それらに関連する複数の長さを有し、
前記複数のセル室のうち１つのセル室の磁気モーメントの強さおよび方向は、前記複数のインサートのうち１つのインサートの長さおよび極性向きに基づいて、制御可能である、請求項１または請求項２に記載の装置。
【請求項４】
前記複数ののインサートうち１つのインサートは、磁気インサートであり、
前記磁気インサートの材料は、ネオジム、サマリウムコバルト、セラミック、アルニコ、ステンレススチールおよびスチールからなる群から選択される、請求項１〜請求項３のいずれか１項に記載の装置。
【請求項５】
前記複数の着脱可能なインサートは、アルミニウム、ナイロンまたはステンレススチールを含有する全長の非磁気インサート、もしくは、アルミニウム、ナイロンまたはステンレススチールを含有する部分長の非磁気インサートを含む、請求項１〜請求項４のいずれか１項に記載の装置。
【請求項６】
前記複数の着脱可能なインサートは、複数の磁気インサートと複数の非磁気インサートとを含み、
前記複数の磁気インサートと前記複数の非磁気インサートとは、前記セル室内に可変的に積層され、
前記複数の磁気インサートと前記複数の非磁気インサートとは、ターゲットに当てる磁場を調整するように操作可能である、請求項１〜請求項５のいずれか１項に記載の装置。
【請求項７】
前記複数のインサートのうち第１インサートと第２インサートとは、前記複数のセル室のうち１つのセル室内に介在して積層され、
前記第１インサートは、磁気インサートであり、
前記第２インサートは、非磁気インサートである、請求項１〜請求項６のいずれか１項に記載の装置。
【請求項８】
複数のセル室と、
前記複数のセル室内に配置された複数の交換可能な磁気インサートと、
前記複数のセル室内に配置された複数の交換可能な非磁気インサートとを含み、
前記交換可能な磁気インサートと前記交換可能な非磁気インサートとは、前記複数のセル室を囲む磁場を形成するように操作可能である、装置。
【請求項９】
前記複数の交換可能な磁気インサートは、全長のマグネットまたは部分長のマグネットを含み、
前記複数の交換可能な非磁気インサートは、全長のインサートまたは部分長のインサートを含む、請求項８に記載の装置。
【請求項１０】
前記装置の磁場は、前記複数のインサートのモーメントを非磁気から特定の磁気強度に変更することによって制御可能であり、
前記装置の前記磁場は、前記複数のインサートのうち第１インサートの極性を前記複数のインサートのうち第２インサートの極性と異なるように整列することによって制御可能である、請求項８または請求項９に記載の装置。
【請求項１１】
前記装置は、前記複数のセル室を覆うカバーをさらに含み、
前記カバーは、前記交換可能な磁気インサートと前記複数の交換可能な非磁気インサートとを保護するように操作可能である、請求項８〜請求項１０のいずれか１項に記載の装置。
【請求項１２】
前記複数の交換可能な磁気インサートと前記複数の交換可能な非磁気インサートとは、前記複数のセル室内に可変的に積層される、請求項８〜請求項１１のいずれか１項に記載の装置。
【請求項１３】
ヨークは、前記複数の交換可能な磁気インサートと前記複数の交換可能な非磁気インサートとにより形成された前記磁場の戻り経路を提供するように操作可能である、請求項１２に記載の装置。
【請求項１４】
前記複数のセル室は、複数の閉合形状を有する、請求項８〜請求項１３のいずれか１項に記載の装置。
【請求項１５】
テンプレート内に複数の磁気インサートを配置する工程と、
前記テンプレート内に複数の非磁気インサートを配置する工程とを含み、
前記複数の磁気インサートを配置する工程と前記複数の非磁気インサートを配置する工程とにより、所定の形状を有する磁場を形成し、
前記テンプレートの第１面にカバーを固定する工程と、
前記テンプレートの第２面にヨークを取付ける工程とを含む、方法。
【請求項１６】
前記固定する工程は、着脱可能なファスナーを用いて前記カバーを前記テンプレートの前記第１面に固定する工程を含む、請求項１５に記載の方法。
【請求項１７】
前記固定する工程は、前記複数の磁気インサートと前記複数の非磁気インサートとを保護する、請求項１５または請求項１６に記載の方法。
【請求項１８】
前記方法は、前記磁場の戻り経路を提供する工程をさらに含む、請求項１５〜請求項１７のいずれか１項に記載の方法。
【請求項１９】
前記方法は、前記テンプレートに前記複数の磁気インサートと前記複数の非磁気インサートとを可変的に積層する工程をさらに含む、請求項１５〜請求項１８のいずれか１項に記載の方法。
【請求項２０】
前記方法は、前記カバーと、前記複数の磁気インサートと、前記複数の非磁気インサートとを前記テンプレートから除去する工程を含む、請求項１５〜請求項１９のいずれか１項に記載の方法。
【手続補正２】
【補正対象書類名】明細書
【補正対象項目名】００３３
【補正方法】変更
【補正の内容】
【００３３】
図５Ｅは、本発明の実施形態に係る、複数の三角形セル室５４０を有するテンプレート２０４の一例を示している。三角形の形状を有する着脱および交換可能なインサート４１８（図４Ａ）は、テンプレート２０４に設けられた三角形セル室５４０の内部に配置されることができる。たとえば、三角形の形状を有する磁気インサート４２０，４２６（図４Ａ）と三角形の形状を有する非磁気インサート４２８，４３０（図４Ａ）とは、テンプレート２０４に設けられた三角形セル室５３４の内部に配置されることができる。
【手続補正書】
【提出日】平成28年3月8日(2016.3.8)
【手続補正１】
【補正対象書類名】特許請求の範囲
【補正対象項目名】全文
【補正方法】変更
【補正の内容】
【特許請求の範囲】
【請求項１】
時計香箱であって、
重ね合わされる第１の分室（１６ａ）及び第２の分室（１６ｂ）を画定する胴部（１４）と、
第１の蓋（２４ａ）に固定され、第１の分室内に少なくとも部分的に収容される第１の管状ハブ（２２ａ）と、
第２の蓋（２４ｂ）に固定され、第２の分室内に少なくとも部分的に収容される第２の管状ハブ（２２ｂ）と
を備え、
各々の分室が螺旋状に巻かれるぜんまい（１８ａ、１８ｂ）を含有し、前記ぜんまい（１８ａ、１８ｂ）の一方の内側端部が前記第１のハブ及び前記第２のハブとそれぞれ結合し、前記ぜんまい（１８ａ、１８ｂ）の第２の端部が前記胴部（１４）と結合し、
前記分室が前記蓋の側で開いており、前記第１及び第２の蓋が前記胴部（１４）に関して制約されず、各々が周囲歯部を備え、前記胴部（１４）が歯部を有さない、
時計香箱。
【請求項２】
前記香箱自体では、時計プレート上で枢動するように設計される枢動軸を有さないことを特徴とする、請求項１に記載の香箱。
【請求項３】
前記第１及び第２の蓋のうちの少なくとも１つが、前記第１又は第２の分室にそれぞれ相対して配置されるその面上に減摩性コーティング（５０）を備えることを特徴とする、請求項１に記載の香箱。
【請求項４】
前記胴部（１４）が、円筒壁（２６）と、前記円筒壁（２６）から突出する平坦壁（２８）とを有し、前記平坦壁（２８）が前記分室の境界を画定することを特徴とする、請求項１から３までのいずれか一項に記載の香箱。
【請求項５】
前記平坦壁（２８）が、前記第１又は第２の分室に相対して配置されるその面のうち少なくとも１つの面上に減摩性コーティング（５０）を備えることを特徴とする、請求項４に記載の香箱。
【請求項６】
前記円筒壁（２６）及び前記平坦壁（２８）が単一部品で形成されることを特徴とする、請求項４又は請求項５に記載の香箱。
【請求項７】
前記減摩性コーティングが、前記蓋又は前記平坦壁に固着される座金によって作られることを特徴とする、請求項３から６までのいずれか一項に記載の香箱。
【請求項８】
前記減摩性コーティング（５０）が、ＰＴＦＥ、ＤＬＣ又はシリコンから選択される材料から作られることを特徴とする、請求項３から７までのいずれか一項に記載の香箱。
【請求項９】
前記蓋に形成される開口部を通して、前記蓋が備える前記減摩性コーティングが可視となることを特徴とする、請求項３から８までのいずれか一項に記載の香箱。
【請求項１０】
前記第１及び第２のハブが、それらを互いに対して位置決めするための軸方向位置決め手段によって位置決めされることを特徴とする、請求項１から９までのいずれか一項に記載の香箱。
【請求項１１】
前記第１のハブ（２２ａ）が前記第１の分室（１６ａ）及び前記第２の分室（１６ｂ）内に収容され、前記第２のハブ（２２ｂ）が前記第１のハブ（２２ａ）上で枢動され、前記軸方向位置決め手段が前記第１のハブ（２２ａ）と結合するように構成されることを特徴とする、請求項１０に記載の香箱。
【請求項１２】
回転誘導アーバ（２０）に連関され、前記アーバが固定されるように設計されることを特徴とする、請求項１から１１までのいずれか一項に記載の香箱。
【請求項１３】
請求項１０に記載の香箱と、前記胴部（１４）のための回転誘導手段とを備える時計。
【請求項１４】
前記胴部のための前記回転誘導手段が前記胴部の周囲部に作用するように構成され、前記香箱が掛止される、ことを特徴とする、請求項１３に記載の時計。
【請求項１５】
前記回転誘導手段が前記時計の枠に固定されるアーバであり、前記アーバが前記香箱の前記軸方向位置決め手段に寄与することを特徴とする、請求項１３に記載の時計。
【請求項１６】
前記下側ハブ（２２ａ）を前記アーバ（２０）上に設置するステップと、
前記ぜんまい（１８ｂ、１８ａ）に連関した前記胴部（１４）を前記第１のハブ（２２ａ）上に設置するステップと、
前記下側ぜんまい（１８ａ）を前記第１のハブ（２２ａ）に接続するステップと、
前記第２のハブ（２２ｂ）を前記アーバ上に設置するステップと、
前記第２のぜんまい（１８ｂ）を前記第２のハブ（２２ｂ）に接続するステップと、
前記軸方向位置決め手段を前記アーバ（２０）上で位置決めするステップと
を含むことを特徴とする、請求項１５に記載の時計を組み立てるための方法。
【手続補正書】
【提出日】平成28年3月24日(2016.3.24)
【手続補正１】
【補正対象書類名】特許請求の範囲
【補正対象項目名】全文
【補正方法】変更
【補正の内容】
【特許請求の範囲】
【請求項１】
０．５から３ｍＭのシトレート、１から５ｍＭの総カルシウム、および０から１．５ｍＭの総マグネシウムを含む透析組成物であって、通常処方カルシウム濃度と比較して、透析液中に１ｍＭシトレート当たり総カルシウムで０．１０から０．２ｍＭ多く含む透析組成物。
【請求項２】
前記透析組成物が、通常処方カルシウム濃度と比較して、前記透析液中に１ｍＭシトレート当たり総カルシウムで０．１２から０．１８ｍＭ多く含む、請求項１に記載の透析組成物。
【請求項３】
前記透析組成物が、通常処方カルシウム濃度と比較して、前記透析液中に１ｍＭシトレート当たり総カルシウムで０．１５ｍＭ多く含む、請求項１または請求項２に記載の透析組成物。
【請求項４】
前記透析組成物が、通常処方マグネシウム濃度と比較して、前記透析液中に１ｍＭシトレート当たり総マグネシウムを０．０４〜０．１０ｍＭ多く含む、先行する請求項の何れか１項に記載の透析組成物。
【請求項５】
前記透析組成物が、通常処方マグネシウム濃度と比較して、前記透析液中に１ｍＭシトレート当たり総マグネシウムを０．０６〜０．０８ｍＭ多く含む、先行する請求項の何れか１項に記載の透析組成物。
【請求項６】
前記透析組成物が、通常処方マグネシウム濃度と比較して、前記透析液中に１ｍＭシトレート当たり総マグネシウムを０．０７ｍＭ多く含む、先行する請求項の何れか１項に記載の透析組成物。
【請求項７】
０．５から３ｍＭのシトレート、１から５ｍＭの総カルシウム、および０から１．５ｍＭの総マグネシウムを含む透析組成物であって、［ｃｉｔ］ｍＭシトレートおよび［Ｃａ］newｍＭ総カルシウムを含み、
［Ｃａ］new＝［Ｃａ］norm＋（ｋCa・［ｃｉｔ］）であり、
ｋCaが、０．１０〜０．２の範囲内、０．１２〜０．１８の範囲内、または０．１５である、透析組成物。
【請求項８】
［Ｃａ］normが、１から５ｍＭの範囲内、１〜３ｍＭの範囲内であり、
ｋCaが、０．１０〜０．２の範囲内、０．１２〜０．１８の範囲内、または０．１５である、請求項７に記載の透析組成物。
【請求項９】
［Ｃａ］normが、１．００、１．２５ｍＭ、１．５ｍＭ、または１．７５ｍＭカルシウムと等しく、
ｋCaが、０．１０〜０．２の範囲内、０．１２〜０．１８の範囲内、または０．１５である、請求項７または８に記載の透析組成物。
【請求項１０】
［Ｃａ］normが、１．２５ｍＭ、または１．５ｍＭカルシウムと等しく、
ｋCaが、０．１２〜０．１８の範囲内、または０．１５である、請求項７〜９の何れかに記載の透析組成物。
【請求項１１】
前記透析組成物が、［Ｍｇ］newｍＭ総マグネシウムをさらに含み、
［Ｍｇ］new＝［Ｍｇ］norm＋（ｋMg・［ｃｉｔ］）であり、
ｋMgが、０．０４〜０．１０の範囲内、０．０６〜０．０８の範囲内、または０．０７である、請求項７〜１０の何れかに記載の透析組成物。
【請求項１２】
［Ｍｇ］normが、０から１．５ｍＭの範囲内であり、
ｋMgが、０．０４〜０．１０の範囲内、０．０６〜０．０８の範囲内、または０．０７である、請求項７〜１１の何れかに記載の透析組成物。
【請求項１３】
［Ｍｇ］normが、０．５から１．５ｍＭの範囲内であり、
ｋMgが、０．０４〜０．１０の範囲内、０．０６〜０．０８の範囲内、または０．０７である、請求項７〜１２の何れかに記載の透析組成物。
【請求項１４】
［Ｍｇ］normが、０．５０ｍＭ、０．６０ｍＭ、または０．７５ｍＭマグネシウムと等しく、
ｋMgが、０．０４〜０．１０の範囲内、０．０６〜０．０８の範囲内、または０．０７である、請求項７〜１３の何れかに記載の透析組成物。
【手続補正書】
【提出日】平成27年12月17日(2015.12.17)
【手続補正１】
【補正対象書類名】特許請求の範囲
【補正対象項目名】全文
【補正方法】変更
【補正の内容】
【特許請求の範囲】
【請求項１】
体外診断環境で使用する搬送体であって、
１以上の積荷を受け入れるブラケット（ホルダー）と、電子的に書き換え可能な表示装置を有する少なくとも１つの表示面と、を備え、
前記電子的に書き換え可能な表示装置を自動的に更新して、前記積荷に関する状態情報の視覚表示を提供する
搬送体。
【請求項２】
前記状態情報は、中央制御装置によって無線で更新される
請求項１に記載の搬送体。
【請求項３】
前記積荷として１以上の試料容器が含まれ、
前記電子的に書き換え可能な表示装置を自動的に更新して、前記試料容器に関する状態情報の視覚表示を提供する
請求項１に記載の搬送体。
【請求項４】
前記電子的に書き換え可能な表示装置が、双安定表示装置である
請求項１に記載の搬送体。
【請求項５】
前記電子的に書き換え可能な表示装置は、当該搬送体の電気接点に一時的に電力を印加することによって、更新される
請求項１に記載の搬送体。
【請求項６】
前記電子的に書き換え可能な表示装置が、不揮発性表示装置である
請求項１に記載の搬送体。
【請求項７】
前記状態情報は、前記電子的に書き換え可能な表示装置の少なくとも一部における色の表示で以て伝達される
請求項１に記載の搬送体。
【請求項８】
前記状態情報は、前記電子的に書き換え可能な表示装置の少なくとも一部におけるパターンの表示で以て伝達される
請求項１に記載の搬送体。
【請求項９】
前記パターンが、点滅パターンを含む
請求項８に記載の搬送体。
【請求項１０】
前記状態情報は、前記電子的に書き換え可能な表示装置の少なくとも一部における文字の表示で以て伝達される
請求項１に記載の搬送体。
【請求項１１】
前記文字が、前記積荷の取り扱いに関する指示を含む
請求項１０に記載の搬送体。
【請求項１２】
前記状態情報は、前記積荷の優先順位を示す
請求項１に記載の搬送体。
【請求項１３】
前記状態情報は、前記積荷の中の少なくとも１つの患者試料の識別情報を示す
請求項１に記載の搬送体。
【請求項１４】
前記状態情報は、オペレータによる問い合わせに対する応答を示す
請求項１に記載の搬送体。
【請求項１５】
前記電子的に書き換え可能な表示装置の少なくとも一部が、前記問い合わせに応じて、他の一群の搬送体とは異なった表示となる
請求項１４に記載の搬送体。
【請求項１６】
前記電子的に書き換え可能な表示装置は、前記状態情報を表示する複数の領域を備える
請求項１に記載の搬送体。
【請求項１７】
前記積荷の有無を判断するための１以上のセンサを備える
請求項１に記載の搬送体。
【請求項１８】
体外診断環境にて搬送される１以上の積荷の状態情報を表示する方法であって、
前記積荷に関する情報を前記積荷を保持する搬送体と関連付け、
前記積荷に関する状態情報を前記搬送体で受信し、
前記搬送体の電子的に書き換え可能な表示面に前記状態情報を表示する
ことを含む方法。
【請求項１９】
前記電子的に書き換え可能な表示を更新して、前記積荷の状態情報の１以上の変化を反映させる
ことを含む請求項１８に記載の方法。
【請求項２０】
前記１以上の変化は、前記積荷に関するエラー状態を含む
請求項１９に記載の方法。
【請求項２１】
前記積荷に関する情報を関連付ける過程は、
前記積荷のバーコードを読み取って該積荷の識別情報を判別し、搬送体群から該当する搬送体を区別し且つその該当する搬送体に前記積荷を入れることをオペレータに知らせるべく、その該当する搬送体の前記表示を変更することを含む
請求項１８に記載の方法。
【請求項２２】
前記積荷に関する情報を関連付ける過程は、
前記搬送体の表示を変更して搬送体群から前記搬送体を区別し且つ前記搬送体に前記積荷を入れることをオペレータに知らせることを含む
請求項２１に記載の方法。
【請求項２３】
前記積荷に関する情報を関連付ける過程は、
バーコード読み取り後に新しい積荷が該当する搬送体にあるかどうかを検出し、その該当する搬送体に新しい積荷が入れられたことを判断することを含む
請求項２１に記載の方法。
【請求項２４】
前記積荷が問い合わせの基準に合致する場合に、その問い合わせの結果を反映させるべく、前記電子的に書き換え可能な表示を更新することをさらに含む
請求項１８に記載の方法。
【請求項２５】
体外診断環境にて使用される搬送体であって、
状態情報を表示するように構成された、電子的に書き換え可能な表示装置と、その電子的に書き換え可能な表示装置を更新するように構成された処理装置と、表示される前記状態情報を受信するように構成された無線受信装置と、を備え、
前記状態情報が、当該搬送体によって搬送される１以上の積荷の状態に関連する
搬送体。
【請求項２６】
前記電子的に書き換え可能な表示装置が、電子インク（Ｅ−ｉｎｋ）表示装置である
請求項２５に記載搬送体。
【請求項２７】
前記表示は、当該搬送体の電気接点に一時的に電力を印加することによって、更新される
請求項２５に記載の搬送体。
【請求項２８】
前記電子的に書き換え可能な表示装置が、不揮発性表示装置である
請求項２５に記載の搬送体。
【請求項２９】
前記状態情報は、前記電子的に書き換え可能な表示装置の少なくとも一部における色の表示で以て伝達される
請求項２５に記載の搬送体。
【請求項３０】
前記状態情報は、前記電子的に書き換え可能な表示装置の少なくとも一部におけるパターンの表示で以て伝達される
請求項２５に記載の搬送体。
【請求項３１】
前記パターンが、点滅パターンを含む
請求項３０に記載の搬送体。
【請求項３２】
前記状態情報は、前記電子的に書き換え可能な表示装置の少なくとも一部における文字の表示で以て伝達される
請求項２５に記載の搬送体。
【請求項３３】
前記文字が、前記積荷の取り扱いに関する指示を含む
請求項３２に記載の搬送体。
【請求項３４】
前記状態情報は、前記積荷の優先順位を示す
請求項２５に記載の搬送体。
【請求項３５】
前記状態情報は、前記積荷の中の少なくとも１つの患者試料の識別情報を示す
請求項２５に記載の搬送体。
【請求項３６】
前記状態情報は、オペレータによる問い合わせに対する応答を示す
請求項２５に記載の搬送体。
【請求項３７】
前記電子的に書き換え可能な表示装置の少なくとも一部が、前記問い合わせに応じて、他の一群の搬送体とは異なった表示となる
請求項３６に記載の搬送体。
【請求項３８】
前記電子的に書き換え可能な表示装置は、前記状態情報を表示する複数の領域を備える
請求項２５に記載の搬送体。
【請求項３９】
前記積荷の有無を判断するための１以上のセンサを備える
請求項２５に記載の搬送体。
【手続補正書】
【提出日】平成28年3月3日(2016.3.3)
【手続補正１】
【補正対象書類名】特許請求の範囲
【補正対象項目名】全文
【補正方法】変更
【補正の内容】
【特許請求の範囲】
【請求項１】
１−（３，３−ジメチルブチル）−３−（２−フルオロ−４−メチル−５−（７−メチル−２−（メチルアミノ）ピリド［２，３−ｄ］ピリミジン−６−イル）フェニル）尿素である化合物、またはその薬学的に許容可能な塩。
【請求項２】
１−（３，３−ジメチルブチル）−３−（２−フルオロ−４−メチル−５−（７−メチル−２−（メチルアミノ）ピリド［２，３−ｄ］ピリミジン−６−イル）フェニル）尿素である、請求項１に記載の化合物。
【請求項３】
１６．０ならびに６．９、７．０、１８．２および２３．２のうちの１つ以上にて生じる、２θ±０．２において、特性ピークを有するＸ線粉末回折パターンによって特徴付けられる結晶形態における１−（３，３−ジメチルブチル）−３−（２−フルオロ−４−メチル−５−（７−メチル−２−（メチルアミノ）ピリド［２，３−ｄ］ピリミジン−６−イル）フェニル）尿素である、請求項２に記載の化合物。
【請求項４】
請求項１〜３のいずれか一項に記載の化合物またはその薬学的に許容可能な塩、および薬学的に許容可能な担体、希釈剤、または賦形剤を含む医薬組成物。
【請求項５】
請求項１〜３のいずれか一項に記載の化合物またはその薬学的に許容可能な塩、およびポリビニルピロリドン酢酸ビニル（ＰＶＰ−ＶＡ）を含む医薬組成物。
【請求項６】
ＰＶＰ−ＶＡがＫｏｌｌｉｄｏｎ（登録商標）ＶＡ６４である、請求項５に記載の医薬組成物。
【請求項７】
治療に使用するための、請求項１〜３のいずれか一項に記載の化合物またはその薬学的に許容可能な塩を含む医薬組成物。
【請求項８】
癌の治療に使用するための、請求項１〜３のいずれか一項に記載の化合物またはその薬学的に許容可能な塩を含む医薬組成物。
【請求項９】
前記癌が、甲状腺癌、卵巣癌、黒色腫、急性骨髄性白血病（ＡＭＬ）、および結腸直腸癌からなる群から選択される、請求項８に記載の医薬組成物。
【請求項１０】
前記癌が黒色腫である、請求項９に記載の医薬組成物。
【請求項１１】
前記癌が結腸直腸癌である、請求項９に記載の医薬組成物。
【手続補正書】
【提出日】平成28年2月2日(2016.2.2)
【手続補正１】
【補正対象書類名】特許請求の範囲
【補正対象項目名】全文
【補正方法】変更
【補正の内容】
【特許請求の範囲】
【請求項１】
複数の小型錠剤を含む放出制御固形製剤であって、前記各固形製剤は、
（ａ）メサラミンを含むコアと、
（ｂ）低粘度エチルセルロース、並びに、ヒドロキシプロピルセルロース及びヒドロキシプロピルメチルセルロースからなる群より選択される細孔形成剤を含むコーティングとを含み、
前記コーティングは、前記コアを囲むことを特徴とする放出制御固形製剤。
【請求項２】
前記コアは、希釈剤、結合剤、潤滑剤及び可塑剤の少なくとも１種をさらに含む請求項１の固形製剤。
【請求項３】
前記小型錠剤の数は、３０から１００である請求項１又は２の固形製剤。
【請求項４】
前記小型錠剤の直径は、１ｍｍから５ｍｍである請求項１〜３のいずれか一項の固形製剤。
【請求項５】
前記低粘度エチルセルロースの粘度は、１５ｃＰ未満である請求項１〜４のいずれか一項の固形製剤。
【請求項６】
低粘度エチルセルロース対細孔形成剤の比率は、７：３から４：６である請求項１〜５のいずれか一項の固形製剤。
【請求項７】
ヒドロキシプロピルセルロース又はヒドロキシプロピルメチルセルロースの粘度は、３ｃＰから１５ｃＰである請求項１〜６のいずれか一項の固形製剤。
【請求項８】
前記メサラミンの重量％は、前記コアの重量に対して、７５％から８５％である請求項１〜９のいずれか一項の固形製剤。
【請求項９】
前記メサラミンの重量％は、前記小型錠剤の重量で４０％から９０％である請求項１〜８のいずれか一項の固形製剤。
【請求項１０】
前記固形製剤は、カプセルであり、前記カプセルは、複数の小型錠剤を含む請求項１〜９のいずれか一項の固形製剤。
【請求項１１】
前記メラサミンの重量は、２００ｍｇから１０００ｍｇである請求項１〜１０のいずれか一項の固形製剤。
【請求項１２】
（ａ）前記コアの重量に対して８０％のメサラミンと、前記コアの重量に対して１６％のラクトースと、前記コアの重量に対して３％のヒドロキシプロピルセルロースと、前記コアの重量に対して１％の潤滑油とを含むコアと、
（ｂ）低粘度エチルセルロース、細孔形成剤及びクエン酸トリエチルを含むコーティングとを含み、
前記コーティングは、前記コアを囲み、前記コーティングは、前記小型錠剤の重量の１％から６％で含む請求項１〜１１のいずれか一項の放出制御固形製剤。
【請求項１３】
各小型錠剤は、腸溶コーティングをさらに含む請求項１〜１２のいずれか一項の固形製剤。
【請求項１４】
請求項１〜１３のいずれか一項の固形製剤の治療上の有効量を含む炎症性大腸炎の治療、寛解又は寛解を維持する医薬組成物。
【請求項１５】
前記炎症性大腸炎は、潰瘍性大腸炎又はクローン病である請求項１４の組成物。
【請求項１６】
メサラミンの一日当たりの総量は１ｇから５ｇである請求項１４又は１５の組成物。
【請求項１７】
さらに、ステロイドの治療上の有効量を含む請求項１４〜１７のいずれか一項の組成物。
【請求項１８】
前記固形製剤は、５００ｍｇのメサラミンを含み、２つの前記固形製剤の投与により、３００ｎｇ／ｍＬから７５００ｎｇ／ｍＬのＣmax又は５時間から８時間のＴmaxをもたらす請求項１４〜１８のいずれか一項の組成物。
【手続補正書】
【提出日】平成28年1月4日(2016.1.4)
【手続補正１】
【補正対象書類名】特許請求の範囲
【補正対象項目名】全文
【補正方法】変更
【補正の内容】
【特許請求の範囲】
【請求項１】
式（Ｉ）
【化１】
2015509540.tif 000001
の化合物またはその塩。
【請求項２】
請求項１記載の式Ｉの化合物。
【請求項３】
前記塩が酸付加塩である請求項１記載の式（Ｉ）の化合物の塩。
【請求項４】
前記塩がトリベンゼンスルホン酸塩である請求項１記載の式（Ｉ）の化合物の塩。
【請求項５】
７．６２±０．２°２Θ、１３．１１±０．２°２Θ、１３．７６±０．２°２Θ、および１４．０５±０．２°２Θから選択される１若しくはそれ以上のピークを有するＸＲＰＤパターンを有する請求項４記載の式（Ｉ）の化合物のトリベンゼンスルホン酸塩。
【請求項６】
６．８５±０．２°２Θ、７．６２±０．２°２Θ、８．０１±０．２°２Θ、１３．１１±０．２°２Θ、１３．７６±０．２°２Θ、１４．０５±０．２°２Θ、および１４．６０±０．２°２Θから選択される１若しくはそれ以上のピークを有するＸＲＰＤパターンを有する請求項４記載の式（Ｉ）の化合物のトリベンゼンスルホン酸塩。
【請求項７】
７．６２±０．２°２Θ、１３．１１±０．２°２Θ、１３．７６±０．２°２Θ、１４．０５±０．２°２Θ、１７．１０±０．２°２Θ、１７．８６±０．２°２Θ、および１８．１０±０．２°２Θから選択される１若しくはそれ以上のピークを有するＸＲＰＤパターンを有する請求項４記載の式（Ｉ）の化合物のトリベンゼンスルホン酸塩。
【請求項８】
前記塩が三塩酸塩・二水和物である請求項１記載の式（Ｉ）の化合物の塩。
【請求項９】
５．４２±０．２°２Θ、８．８６±０．２°２Θ、１４．０６±０．２°２Θ、１７．５２±０．２°２Θ、および１８．５１±０．２°２Θから選択される１若しくはそれ以上のピークを有するＸＲＰＤパターンを有する請求項８記載の式（Ｉ）の化合物の三塩酸塩・二水和物。
【請求項１０】
５．４２±０．２°２Θ、５．９１±０．２°２Θ、８．８６±０．２°２Θ、１０．８０±０．２°２Θ、１１．７９±０．２°２Θ、１４．０６±０．２°２Θ、１４．７２±０．２°２Θ、１７．０２±０．２°２Θ、１７．５２±０．２°２Θ、および１８．５１±０．２°２Θから選択される１若しくはそれ以上のピークを有するＸＲＰＤパターンを有する請求項８記載の式（Ｉ）の化合物の三塩酸塩・二水和物。
【請求項１１】
請求項１〜１０のいずれかに記載の化合物または塩と、薬学的に許容され得る賦形剤とを有する、薬学的組成物。
【請求項１２】
請求項１１記載の薬学的組成物において、前記組成物は、錠剤またはカプセル剤の形態である薬学的組成物。
【請求項１３】
対象におけるＡＬＫまたはＦＡＫ媒介性の症状または障害を処置する薬剤を製造するための、治療的に有効量の請求項１〜１０のいずれかに記載の化合物または塩の使用。
【請求項１４】
請求項１３記載の使用において、前記ＡＬＫまたはＦＡＫ媒介性の症状または障害は、未分化大細胞型リンパ腫（ａｎａｐｌａｓｔｉｃ  ｌａｒｇｅ  ｃｅｌｌ  ｌｙｍｐｈｏｍａ：ＡＬＣＬ）、非小細胞肺ガン（ｎｏｎ−ｓｍａｌｌ  ｃｅｌｌ  ｌｕｎｇ  ｃａｎｃｅｒ：ＮＳＣＬＣ）、神経芽細胞腫、神経膠芽細胞腫、前立腺ガン、扁平上皮ガン（ｓｑｕａｍｏｕｓ  ｃｅｌｌ  ｃａｒｃｉｎｏｍａ：ＳＣＣ）、および乳ガンから選択される、使用。
【請求項１５】
請求項１３記載の使用において、前記ＡＬＫまたはＦＡＫ媒介性の症状または障害は、ＡＬＫ陽性未分化大細胞型リンパ腫、ＥＭＬ４−ＡＬＫ陽性非小細胞肺ガン、神経芽細胞腫、神経膠芽細胞腫、アンドロゲン非依存性前立腺ガン、乳ガン、および頭頸部扁平上皮ガン（ｈｅａｄ  ａｎｄ  ｎｅｃｋ  ｓｑｕａｍｏｕｓ  ｃｅｌｌ  ｃａｒｃｉｎｏｍａｓ：ＨＮＳＣＣｓ）から選択される、使用。
【請求項１６】
請求項１３記載の使用において、前記ＡＬＫまたはＦＡＫ媒介性の症状または障害は、ＡＬＫ陽性未分化大細胞型リンパ腫、ＥＭＬ４−ＡＬＫ陽性非小細胞肺ガン、神経芽細胞腫、アンドロゲン非依存性前立腺ガン、乳ガン、および頭頸部扁平上皮ガンから選択される、使用。
【請求項１７】
請求項１３記載の使用において、前記ＡＬＫまたはＦＡＫ媒介性の症状または障害は、ＡＬＫ陽性未分化大細胞型リンパ腫、ＥＭＬ４−ＡＬＫ陽性非小細胞肺ガン、神経芽細胞腫、および神経膠芽細胞腫から選択される、使用。
【請求項１８】
請求項１３記載の使用において、前記ＡＬＫまたはＦＡＫ媒介性の症状または障害は、ＡＬＫ陽性未分化大細胞型リンパ腫、ＥＭＬ４−ＡＬＫ陽性非小細胞肺ガン、および神経芽細胞腫から選択される、使用。
【請求項１９】
請求項１３記載の使用において、前記ＡＬＫまたはＦＡＫ媒介性の症状または障害は、ＡＬＫ陽性未分化大細胞型リンパ腫およびＥＭＬ４−ＡＬＫ陽性非小細胞肺ガンから選択される、使用。
【請求項２０】
請求項１３記載の使用において、前記ＡＬＫまたはＦＡＫ媒介性の症状または障害は、アンドロゲン非依存性前立腺ガン、乳ガン、および頭頸部扁平上皮ガンから選択される、使用。
【請求項２１】
請求項１３記載の使用において、前記ＡＬＫまたはＦＡＫ媒介性の症状または障害は、ＡＬＫ媒介性の症状または障害である、使用。
【請求項２２】
請求項１３記載の使用において、前記ＡＬＫまたはＦＡＫ媒介性の症状または障害は、ＦＡＫ媒介性の症状または障害である、使用。
【手続補正２】
【補正対象書類名】明細書
【補正対象項目名】００１０
【補正方法】変更
【補正の内容】
【００１０】
ガンを処置するための、さらに安全で効果的なＡＬＫおよび／またはＦＡＫの阻害剤についての必要性が存在する。
この出願の発明に関連する先行技術文献情報としては、以下のものがある（国際出願日以降国際段階で引用された文献及び他国に国内移行した際に引用された文献を含む）。
（先行技術文献）
（特許文献）
（特許文献１）  国際公開第２００８／０５１５４７号
（特許文献２）  国際公開第２００５／０８０３９３号
【手続補正書】
【提出日】平成28年2月3日(2016.2.3)
【手続補正１】
【補正対象書類名】特許請求の範囲
【補正対象項目名】全文
【補正方法】変更
【補正の内容】
【特許請求の範囲】
【請求項１】
多開口の弁座に対して摺動を行うようにアクチュエータに作動的に連結される、少なくとも一つの多開口の弁板を備える、流体の流量を制御するスクリーンバルブであって、
前記弁板は一つ以上の弾性支持要素を介して前記アクチュエータに連結し、
前記弾性支持要素は、前記弁板と垂直する方向において前記弁板のフローティング運動を許可するように構成されることを特徴とするスクリーンバルブ。
【請求項２】
請求項１に記載のスクリーンバルブにおいて、前記摺動は側方往復運動であることを特徴とするスクリーンバルブ。
【請求項３】
請求項１もしくは請求項２に記載のスクリーンバルブにおいて、前記一つ以上の弾性支持要素は、前記弁板の平面と垂直する方向におけるフローティング運動を許可する同時に、前記弁板の平面において前記アクチュエータの運動を緊密に追及する前記少なくとも一つの弁板を制約するように構成されることを特徴とするスクリーンバルブ。
【請求項４】
請求項１〜３のいずれか１項に記載のスクリーンバルブにおいて、前記弁板は前記弁座及び押さえ板の間に配置されることを特徴とするスクリーンバルブ。
【請求項５】
請求項１〜４のいずれか１項に記載のスクリーンバルブにおいて、前記少なくとも一つの多開口の弁板は柔軟な板状部材であることを特徴とするスクリーンバルブ。
【請求項６】
請求項１〜５のいずれか１項に記載のスクリーンバルブにおいて、前記一つ以上の弾性支持要素は皿バネ要素を含むことを特徴とするスクリーンバルブ。
【請求項７】
請求項１〜６のいずれか１項に記載のスクリーンバルブにおいて、前記一つ以上の弾性支持要素は、前記アクチュエータの運動が一つの方向において、前記弁座の平面から離れるように前記弁板を持ち上げる傾向がある附勢力を発生させるように角度を設けることを特徴とするスクリーンバルブ。
【請求項８】
請求項１〜７のいずれか１項に記載のスクリーンバルブにおいて、前記一つ以上の弾性支持要素は、前記弁板と一体に形成されることを特徴とするスクリーンバルブ。
【請求項９】
請求項１〜７のいずれか１項に記載のスクリーンバルブにおいて、前記一つ以上の弾性支持要素は前記少なくとも一つの弁板に固定的取り付けられることを特徴とするスクリーンバルブ。
【請求項１０】
請求項１〜９のいずれか１項に記載のスクリーンバルブにおいて、前記弁板はアクチュエータフレームを介して側方往復運動を行うため、前記アクチュエータに作動的に接続され、前記アクチュエータフレームは前記一つ以上の弾性支持要素を支持することを特徴とするスクリーンバルブ。
【請求項１１】
請求項１０に記載のスクリーンバルブにおいて、前記アクチュエータフレームは回転点を有する少なくとも一つの第一の均等のサブフレームを含むことを特徴とするスクリーンバルブ。
【請求項１２】
請求項１〜１１のいずれか１項に記載のスクリーンバルブを含む装置において、前記スクリーンバルブは、前記装置における移動表面上に、任意選択で、移動ピストン表面上に配置されることを特徴とする装置。
【請求項１３】
ガス圧縮及び／もしくは膨張設備を含む装置において、少なくとも一つのガスインレット及び／もしくはアウトレットバルブは、請求項１〜１１のいずれか１項に記載のスクリーンバルブを含むことを特徴とする装置。
【請求項１４】
請求項１３に記載の装置において、前記設備は容積式の設備を含み、かつ任意選択で、ピストン膨張機及び／もしくはピストン圧縮機を含むことを特徴とする装置。
【請求項１５】
請求項１３もしくは請求項１４に記載の装置において、前記ガス圧縮及び／もしくは膨張設備はヒートポンプ及び／もしくはヒートエンジンに用いられることを特徴とする装置。
【手続補正２】
【補正対象書類名】明細書
【補正対象項目名】００１０
【補正方法】変更
【補正の内容】
【００１０】
本発明は複数の実施様態を含む。一つの実施様態に関して使われ、及び／もしくは定義された専門用語は、他に別段の定めのない限り、他の全ての実施様態に関して同じ意味を有しているとみなされる。
第三実施様態は添付の特許請求の範囲内に含まれるが、第一、第二及び第四実施様態はもう添付の特許請求の範囲内に含まれない。
第一実施様態
もう添付の特許請求の範囲内に含まれない、第一実施様態において、本発明はスクリーンバルブを提供する。スクリーンバルブは少なくとも一つの多開口の弁板を有し、開口部の位置を合わせないように流体の流通を抑制する閉構造及び開口部の位置を合わせるように流体の流通を許可する開構造の間において、多開口の弁座に対して運動軸に沿って摺動するように構成される。弁板は一配列の開口部を含み、隣接の開口部は長尺状の中間要素によって互いに分離され、少なくともいくつの中間要素は前記運動軸に対して１５〜４５°の角度を成している。
【手続補正３】
【補正対象書類名】明細書
【補正対象項目名】００２７
【補正方法】変更
【補正の内容】
【００２７】
更に応力集中を減少させるため、内半径の穴を微かに丸くしてもよい。一つの実施形態において、多開口の弁板は丸角部を有する開口部を定義する交差部を凹ませるように広げる中間要素を含む。いくつの開口部（少なくとも５０％）もしくは全ての開口部は、中間要素のそれぞれの節点において応力集中を低減するように丸角部を有することが望ましい。
第二実施様態
もう添付の特許請求の範囲内に含まれない、本発明の第二実施様態によれば、流体の流量を制御するスクリーンバルブが提供されている。スクリーンバルブは少なくとも一つの多開口の弁板を含む。弁板はアクチュエータフレームを介してアクチュエータに作動的に連結し、多開口の弁座に対して摺動する。少なくとも一つの弁板の運動はアクチュエータフレームによって制御される。
【手続補正４】
【補正対象書類名】明細書
【補正対象項目名】００７７
【補正方法】変更
【補正の内容】
【００７７】
第二実施様態に係わるアクチュエータフレームは、上記に記載された何れかの技術特徴を含む。特に、アクチュエータフレームは回転点を有する少なくとも一つの第一の均等のサブフレームを含む。アクチュエータは平面において直線往復運動するように構成され、均等のビームは通常アクチュエータの運動軸と直角を成して延びる。
第四実施様態
もう添付の特許請求の範囲内に含まれない、第四実施様態において、本発明は多開口の弁座に対して摺動するように構成される少なくとも一つの多開口の弁板を含み、流体流量を制御するスクリーンバルブを提供する。弁は摺動の初期状態及び／終了状態は少なくとも一つのダンピング機構によって減衰するように構成される。このような機構を提供することによって、弁板のキック‐オフ及び停止はバルブ寿命を向上するように緩和される。
【手続補正書】
【提出日】平成28年2月26日(2016.2.26)
【手続補正１】
【補正対象書類名】特許請求の範囲
【補正対象項目名】全文
【補正方法】変更
【補正の内容】
【特許請求の範囲】
【請求項１】
グルコセレブロシダーゼ酵素補充療法薬を含む、ＩＩＩ型ゴーシェ病に罹患する対象を治療するための医薬組成物であって、前記グルコセレブロシダーゼ酵素補充療法薬が、前記対象に２時間未満にわたり静脈内注入される、医薬組成物。
【請求項２】
グルコセレブロシダーゼ酵素補充療法薬は、９０分以内にわたって投与される、請求項１記載の医薬組成物。
【請求項３】
グルコセレブロシダーゼ酵素補充療法薬は、６０分以内にわたって投与される、請求項１記載の医薬組成物。
【請求項４】
前記対象への２時間未満にわたる静脈内注入によって投与される第２のグルコセレブロシダーゼ酵素補充療法薬と組み合わせて投与される、請求項１記載の医薬組成物。
【請求項５】
前記グルコセレブロシダーゼ酵素補充療法薬は、ベラグルセラーゼ、イミグルセラーゼ、およびｕｐｌｙｓｏ（商標）から成る群より選択される、請求項１記載の医薬組成物。
【請求項６】
前記グルコセレブロシダーゼ酵素補充療法薬は、１５〜６０Ｕ／ｋｇの用量で投与される、請求項１記載の医薬組成物。
【請求項７】
グルコセレブロシダーゼ酵素補充療法を現在受けているかまたは以前受けたことがあるＩＩＩ型ゴーシェ病に罹患する対象を治療するための医薬組成物であって、ベラグルセラーゼを含み、前記対象が、ゴーシェ病のために現在受けているまたは以前に受けたことがある療法薬に対する抗体の産生の検査で陽性反応を示したことに基づいて選択される、医薬組成物。
【請求項８】
前記対象が、ゴーシェ病のために現在受けているまたは以前に受けたことがある療法薬に対するＩｇＥ抗体の産生の検査で陽性反応を示す、請求項７記載の医薬組成物。
【請求項９】
前記対象が、ゴーシェ病のために現在受けているまたは以前に受けたことがある療法薬に対するＩｇＭ抗体の産生の検査で陽性反応を示す、請求項７記載の医薬組成物。
【請求項１０】
前記対象が、ゴーシェ病のために現在受けているまたは以前に受けたことがある療法薬に対するＩｇＧ抗体の産生の検査で陽性反応を示す、請求項７記載の医薬組成物。
【請求項１１】
前記対象がゴーシェ病のために現在受けているまたは以前に受けたことがある療法薬が、イミグルセラーゼである、請求項７記載の医薬組成物。
【請求項１２】
前記対象がゴーシェ病のために現在受けているまたは以前に受けたことがある療法薬が、ｕｐｌｙｓｏ（商標）である、請求項７記載の医薬組成物。
【請求項１３】
ベラグルセラーゼが、１５〜６０Ｕ／ｋｇの用量で投与される、請求項７記載の医薬組成物。
【請求項１４】
前記ベラグルセラーゼが、９０分以内にわたって静脈内注入により前記対象に投与される、請求項７記載の医薬組成物。
【手続補正書】
【提出日】平成28年3月7日(2016.3.7)
【手続補正１】
【補正対象書類名】特許請求の範囲
【補正対象項目名】全文
【補正方法】変更
【補正の内容】
【特許請求の範囲】
【請求項１】
ジフテリアトキソイド、破傷風トキソイド、百日咳トキソイド、アルミニウム塩アジュバント、およびＴＬＲ４アゴニストを含む免疫原性組成物。
【請求項２】
前記ＴＬＲ４アゴニスト、および／または前記トキソイドのうちの少なくとも１種が、前記アルミニウム塩アジュバントに吸着されている、請求項１に記載の組成物。
【請求項３】
前記免疫原性組成物が、０．４ｍｇ／ｍｌ未満のＡｌ＋＋＋濃度を有する、請求項１または２に記載の組成物。
【請求項４】
各々低用量のジフテリアトキソイド、破傷風トキソイド、および百日咳トキソイドを有する、請求項１〜３のいずれか一項に記載の組成物。
【請求項５】
ジフテリアトキソイド、破傷風トキソイド、および百日咳トキソイドに加えて抗原を含む、請求項１〜４のいずれか一項に記載の組成物。
【請求項６】
結合体化Ｈｉｂ莢膜糖、Ｂ型肝炎ウイルス表面抗原、三価の不活化ポリオウイルス、および／または結合体化髄膜炎菌莢膜糖を含む、請求項５に記載の組成物。
【請求項７】
≦８Ｌｆ／ｍｌのジフテリアトキソイドを有する、請求項１〜６のいずれか一項に記載の組成物。
【請求項８】
≦３．５Ｌｆ／ｍｌの破傷風トキソイドを有する、請求項１〜７のいずれか一項に記載の組成物。
【請求項９】
≦５μｇ／ｍｌの百日咳トキソイドを有する、請求項１〜８のいずれか一項に記載の組成物。
【請求項１０】
≦５μｇ／ｍｌのＨｉｂ糖を有する、請求項１〜９のいずれか一項に記載の組成物。
【請求項１１】
≦５μｇ／ｍｌのＨＢｓＡｇを有する、請求項１〜１０のいずれか一項に記載の組成物。
【請求項１２】
（ｉ）≦２０ＤＵ／ｍｌの１型ポリオウイルスおよび／または（ｉｉ）≦４ＤＵ／ｍｌの２型ポリオウイルスおよび／または（ｉｉｉ）≦１６ＤＵ／ｍｌの３型ポリオウイルスを有する、請求項１〜１１のいずれか一項に記載の組成物。
【請求項１３】
前記アルミニウム塩アジュバントが、（ｉ）水酸化アルミニウムアジュバントまたは（ｉｉ）リン酸アルミニウムアジュバントまたは（ｉｉｉ）水酸化アルミニウムアジュバントとリン酸アルミニウムアジュバントとの混合物である、請求項１〜１２のいずれか一項に記載の組成物。
【請求項１４】
髄膜炎菌血清群Ａ、Ｃ、Ｗ１３５および／またはＹのうちの１種または複数に由来する結合体化莢膜糖を含む、請求項１〜１３のいずれか一項に記載の組成物。
【請求項１５】
肺炎球菌血清型１、２、３、４、５、６Ａ、６Ｂ、７Ｆ、８、９Ｎ、９Ｖ、１０Ａ、１１Ａ、１２Ｆ、１４、１５Ｂ、１７Ｆ、１８Ｃ、１９Ａ、１９Ｆ、２０、２２Ｆ、２３Ｆおよび／または３３Ｆのうちの１種または複数に由来する結合体化莢膜糖を含む、請求項１〜１４のいずれか一項に記載の組成物。
【請求項１６】
（ｉ）髄膜炎菌Ｈ因子結合タンパク質抗原および／または（ｉｉ）Ｎｅｉｓｓｅｒｉａｌのヘパリン結合抗原および／または（ｉｉｉ）髄膜炎菌ＮｈｈＡ抗原および／または（ｉｖ）髄膜炎菌外膜小胞を含む、請求項１〜１５のいずれか一項に記載の組成物。
【請求項１７】
前記ＴＬＲ４アゴニストが３ｄ−ＭＰＬである、請求項１〜１６のいずれか一項に記載の組成物。
【請求項１８】
患者において免疫応答を上昇させるための、請求項１〜１７のいずれか一項に記載の組成物。
【手続補正２】
【補正対象書類名】明細書
【補正対象項目名】０１８２
【補正方法】変更
【補正の内容】
【０１８２】
動物（および特にウシ）材料が細胞の培養に使用される場合、それらは、伝染性海綿状脳症（ＴＳＥ）を含まず、かつ特に牛海綿状脳症（ＢＳＥ）を含まない供給源から得られるべきである。
例えば、本発明は、以下の項目を提供する：
（項目１）
ジフテリアトキソイド、破傷風トキソイド、百日咳トキソイド、アルミニウム塩アジュバント、およびＴＬＲ４アゴニストを含む免疫原性組成物。
（項目２）
上記ＴＬＲ４アゴニスト、および／または上記トキソイドのうちの少なくとも１種が、上記アルミニウム塩アジュバントに吸着されている、項目１に記載の組成物。
（項目３）
上記免疫原性組成物が、０．４ｍｇ／ｍｌ未満のＡｌ＋＋＋濃度を有する、上記項目のいずれか一項に記載の組成物。
（項目４）
各々低用量のジフテリアトキソイド、破傷風トキソイド、および百日咳トキソイドを有する、上記項目のいずれか一項に記載の組成物。
（項目５）
ジフテリアトキソイド、破傷風トキソイド、および百日咳トキソイドに加えて抗原を含む、上記項目のいずれか一項に記載の組成物。
（項目６）
結合体化Ｈｉｂ莢膜糖、Ｂ型肝炎ウイルス表面抗原、三価の不活化ポリオウイルス、および／または結合体化髄膜炎菌莢膜糖を含む、項目５に記載の組成物。
（項目７）
≦８Ｌｆ／ｍｌのジフテリアトキソイドを有する、上記項目のいずれか一項に記載の組成物。
（項目８）
≦３．５Ｌｆ／ｍｌの破傷風トキソイドを有する、上記項目のいずれか一項に記載の組成物。
（項目９）
≦５μｇ／ｍｌの百日咳トキソイドを有する、上記項目のいずれか一項に記載の組成物。
（項目１０）
≦５μｇ／ｍｌのＨｉｂ糖を有する、上記項目のいずれか一項に記載の組成物。
（項目１１）
≦５μｇ／ｍｌのＨＢｓＡｇを有する、上記項目のいずれか一項に記載の組成物。
（項目１２）
（ｉ）≦２０ＤＵ／ｍｌの１型ポリオウイルスおよび／または（ｉｉ）≦４ＤＵ／ｍｌの２型ポリオウイルスおよび／または（ｉｉｉ）≦１６ＤＵ／ｍｌの３型ポリオウイルスを有する、上記項目のいずれか一項に記載の組成物。
（項目１３）
上記アルミニウム塩アジュバントが、（ｉ）水酸化アルミニウムアジュバントまたは（ｉｉ）リン酸アルミニウムアジュバントまたは（ｉｉｉ）水酸化アルミニウムアジュバントとリン酸アルミニウムアジュバントとの混合物である、上記項目のいずれか一項に記載の組成物。
（項目１４）
髄膜炎菌血清群Ａ、Ｃ、Ｗ１３５および／またはＹのうちの１種または複数に由来する結合体化莢膜糖を含む、上記項目のいずれか一項に記載の組成物。
（項目１５）
肺炎球菌血清型１、２、３、４、５、６Ａ、６Ｂ、７Ｆ、８、９Ｎ、９Ｖ、１０Ａ、１１Ａ、１２Ｆ、１４、１５Ｂ、１７Ｆ、１８Ｃ、１９Ａ、１９Ｆ、２０、２２Ｆ、２３Ｆおよび／または３３Ｆのうちの１種または複数に由来する結合体化莢膜糖を含む、上記項目のいずれか一項に記載の組成物。
（項目１６）
（ｉ）髄膜炎菌Ｈ因子結合タンパク質抗原および／または（ｉｉ）Ｎｅｉｓｓｅｒｉａｌのヘパリン結合抗原および／または（ｉｉｉ）髄膜炎菌ＮｈｈＡ抗原および／または（ｉｖ）髄膜炎菌外膜小胞を含む、上記項目のいずれか一項に記載の組成物。
（項目１７）
上記ＴＬＲ４アゴニストが３ｄ−ＭＰＬである、上記項目のいずれか一項に記載の組成物。
（項目１８）
患者において免疫応答を上昇させる方法であって、上記項目のいずれか一項に記載の組成物を上記患者に投与するステップを含む、方法。